(57)【要約】【課題】着座してシャワー浴を行う装置で、好みによりシャワー浴とミスと浴を選択でき、着座したままでシャワーアームの位置や温度を調節できる装置を提供する。【解決手段】  シャワー基台１と、シャワーノズル３とミストノズル４とが各々複数個取り付けられたノズルアーム２とからなり、ノズルアーム２はシャワー基台１に片持ち支持されるとともに、上下動自在に支持され、且つ、該片持ち張出し部２１が該片持ち支持部Ａを回動軸として回動自在になるよう該片持ち張出し部２１が軸支され、シャワー基台１に上記シャワーノズル３とミストノズル４とを制御するノズル制御盤５が接続され、且つ、該シャワー基台１に上記ノズルアーム２を制御するノズルアーム操作盤６が接続されたシャワー装置。【選択図】図１
2007068588.tif 000002
【特許請求の範囲】
【請求項１】
シャワー基台と、シャワーノズルとミストノズルとを各々複数個取り付けたノズルアームとからなり、ノズルアームはシャワー基台に片持ち支持されるとともに、上下動自在に支持され、且つ、該片持ち張出し部が該片持ち支持部を回動軸として回動自在になるよう該片持ち張出し部が軸支され、シャワー基台に上記シャワーノズルとミストノズルとを制御するノズル制御盤が接続され、且つ、該シャワー基台に上記ノズルアームを制御するノズルアーム操作盤が接続されたシャワー装置。
【請求項２】
シャワー基台の左右に設けられた一対のノズルアームが連動するように装着されている請求項１記載のシャワー装置。
【請求項３】
シャワー基台の表面にシャワーノズルが装着されている請求項１記載のシャワー装置。
【発明の詳細な説明】
【技術分野】
【０００１】
本発明は、着座してシャワー浴を行うシャワー装置であって、使用者の体格に応じて最適な位置でシャワー浴あるいはミスト浴ができるシャワー装置に関するものである。
【背景技術】
【０００２】
シャワー装置として着座して全身にシャワーを行う装置は知られている。たとえばシャワーノズルを有するアームを横方向に回動可能にしたものやあるいは上下方向に回転可能なアームを備えたもの等が存在する。
【０００３】
しかしこれらはノズルアームを含めると幅と奥行きが大きく一般家庭の浴槽には設置できないものであり、装置を小型化するとアーム部が短くなり身体サイズによっては頭部に噴流が飛散するといった問題点がある。これらを解決するものとして場所をとらないコンパクトな全身シャワー装置が提案されている。
【特許文献１】特開２００３−２１０３４７号公報（第６６頁、図１）
【特許文献２】特開２００１−２０４６４４号公報（第５頁、図１）
【発明の開示】
【発明が解決しようとする課題】
【０００４】
上記特許文献１に記されているシャワー装置は噴霧ノズルの少なくとも一つを流入方向と噴出方向が偏角するようにしてアーム長さが短くても可能な限り使用者の正面側から水流を噴出させるものである。そしてノズルアームは回動するが高さの移動はできず、シャワー浴のみでミスト浴はできないものである。
【０００５】
特許文献２においてもシャワーアームは垂直な回転軸を有し横方向に回動するが高さの移動は出来ない。そのために上半身用アームと下半身用アームを備え、上半身用アームにはシャワーノズルとミスト状散水ノズルが設けられているがシャワーとミストが同時に噴出するものであり本件発明のようにシャワー浴とミスト浴を別個に使用できるものでない。
【０００６】
すなわち上記技術文献１、２のいずれの場合もノズルアームの上下動はなく、一本のアームでシャワー浴とミスト浴を好みに応じて選択することはできないものである。
【０００７】
本願発明は使用者の体格に応じて最適な位置でシャワー浴やミスト浴ができるもので、ノズルアームが上下動自在にできるとともに回動自在であり、またノズルアームにシャワーノズルとミストノズルが適数設けられてシャワー浴とミスト浴とを自在に切り替えできるものである。
【課題を解決するための手段】
【０００８】
上記課題を解決するために、本発明に係るシャワー装置の第一の特徴構成は、請求項１に記載した如く、シャワー基台と、シャワーノズルとミストノズルとを各々複数個取り付けたノズルアームとからなり、ノズルアームはシャワー基台に片持ち支持されるとともに上下動自在に支持され、且つ、該片持ち張出し部が該片持ち支持部を回動軸として回動自在になるよう該片持ち張出し部が軸支され、シャワー基台に上記シャワーノズルとミストノズルとを制御するノズル制御盤が接続され、且つ、該シャワー基台に上記ノズルアームを制御するノズルアーム操作盤が接続された点にある。
【０００９】
同第二の特徴構成は、請求項２に記載した如く、第一の特徴構成に加えてシャワー基台の左右に設けられた一対のノズルアームが連動するように装着されてなる点にある。
【００１０】
同第三の特徴構成は、請求項３に記載した如く、第一の特徴構成に加えてシャワー基台の表面にシャワーノズルが装着されている点にある。
【発明の効果】
【００１１】
請求項１に記載のシャワー装置は前記構成であり、シャワー基台に取り付けられたノズルアームが上下動自在にでき、さらに片持ち支持部を回動軸として片持ち張出し部を回動自在に制御でき、従って、身体サイズによって使用者がシャワーアームの高さを調整でき、またノズルアームを回動することで噴出角度を好みに応じて選択できる。また、一本のノズルアームにシャワーノズルとミストノズルが適宜数設けられており、ノズル制御盤を操作することでシャワー浴かミスト浴かを選択できる。
【００１２】
請求項２に記載のシャワー装置は前記構成であるので、シャワー基台の左右に装着された各々のノズルアームが連動しているから、一回の操作で左右のノズルアームの位置調整が行える。
【００１３】
請求項３に記載のシャワー装置は前記構成であり、ノズルアームからのシャワーは身体の前面および側面に噴出され背中面には噴出されないが、シャワー基台の表面にシャワーノズルを設けることにより腰部や背中面にもシャワーが噴出され身体全面をシャワー浴することができるものである。
【発明を実施するための最良の形態】
【００１４】
以下、本発明の実施形態について図面を参照して、詳細に説明する。図１は本発明にかかるシャワー装置の一実施例を示す斜視図である。１はシャワー基台であり浴室の壁面に固定されている。シャワー基台１には使用者が椅子１１に座ったときに腰部および背中部にシャワー水を噴出するシャワーノズル１２がシャワー基台１表面の左右の位置に上下二箇所設けられている。
【００１５】
シャワー基台１には湯水の水温制御装置（図示せず）と、シャワー水とミスト水との切替え装置（図示せず）が内蔵されておりこれらは図１および図３に示すノズル制御盤５に通信線７を介して接続されている。またノズルアーム２の上下動および回動を行うノズルアーム操作装置もシャワー基台１に内蔵されており該ノズルアーム操作装置にノズルアーム操作盤６が操作線８を介して接続されている。
【００１６】
このノズルアーム２には図２に示すようにシャワーノズル３とミストノズル４が交互に複数個取り付けられるとともに、該シャワーノズル３およびミストノズル４はノズルアーム２内のシャワー水流管（図示せず）およびミスト水流管（図示せず）の各々に連結されている。
【００１７】
ノズルアーム２は図１に示すようにシャワー基台１の側面にノズルアーム２全体を矢印方向Ｃに上下動自在となるように片持ち支持されており、且つ、図２に示すように該片持ち支持部Ａを回転軸としてノズルアーム２の片持ち張出し部２１を図１および図２に示す矢印方向Ｂに回動自在にする回動部６３をノズルアーム２の片持ち支持部Ａに設けている。
【００１８】
図２はノズルアーム２全体を上下動自在にする機構の一例を示す概要図である。ノズルアーム２はシャワー基台１の左右に設けられお互いに連動するようになっている。ノズルアーム２の上下動自在の機構はモーター２２にウォームギア２３が一体に取り付けられており、ウォームギア２３と回転歯車２４が噛合い、回転歯車２４の回動に伴いワイヤー２５が回動する。
【００１９】
ワイヤー２５にはノズルアーム２の昇降棹２６が連結部２７を介して取り付けられ、モーター２２を正逆方向に回転させることでノズルアーム２は図１および図２に示す矢印方向Ｃの方向に上下する。図２で図示されているのはノズルアーム２が上昇した状態を示している。このノズルアーム２を上下動自在にする昇降装置および回動自在にする回動部６３はシャワー基台１に内蔵されておりノズルアーム操作盤６と操作線８で接続されており、使用者がシャワー浴やミスト浴を行いながらノズルアーム操作盤６を操作して好みの高さや角度に調節できる。
【００２０】
ノズルアーム操作盤６にはノズルアーム２の上下移動ボタン６１およびノズルアーム２の回動ボタン６２が付いており、ノズルアーム２の回動は回動部６３によって、ノズルアーム２の片持ち支持部Ａを支点として回動させるものである。
【００２１】
図３に示すものはノズル制御盤５の正面図である。ノズル制御盤５はシャワー水とミスト水とを切り替えその強弱を調節するものであり、５１はミスト水の量を多くするミスト強ボタンであり、５２は逆にミスト水の量を少なくするミスト弱ボタンである。
【００２２】
同様にノズル制御盤５にはシャワー強ボタン５３、シャワー弱ボタン５４および水温調節ボタン５５、５６が設けられている。水温を高めるには温度上げボタン５５を、水温を下げるには温度下げボタン５６を押すことで水温を調節できる。ノズル制御盤５とシャワー基台１とは通信線７で接続されており、各ボタンの指示によりシャワー基台１に内蔵された噴出切替え装置と水温制御装置が作動し、シャワー浴とミスト浴との切り替えや噴出水量あるいは湯水温度を変更できる。
【００２３】
次にこのシャワー装置の使用方法について説明する。ノズルアーム２は片持ち支持部Ａを支点としてその片持ち張出し部２１が図１および図２の矢印方向Ｂに回動自在であり、しかも角度を維持した状態でノズルアーム２全体を上下方向（図１および図２の矢印方向Ｃ）に移動させ且つ固定することができる。
【００２４】
ミスト浴する場合には片持ち張出し部２１の回動角度を大きく、シャワー浴する場合には該回動角度を小さくすることが好ましい。そして身体サイズに合うようにノズルアーム2全体を上下方向に移動してノズルアーム２の高さを調整する。次いでノズル制御盤５によりシャワー浴かミスト浴かを選択し好みに応じて噴出水量や湯水温度を調節する。
【００２５】
シャワー浴の場合シャワーノズル３から噴出する湯水は雨が当たっている感触で全身に湯水を浴びるために短時間で温熱効果が与えられ、またノズル基台１にもシャワーノズル１２があることで着座していても腰部および背中部をシャワーすることができる。
【００２６】
一方ミスト浴の場合ミストノズル４から噴出する湯水は粒径が小さいために飛散し易く、温熱エネルギーの一部を周囲の空間に放出し周囲の空気を暖め、使用者にゆっくりとした温熱効果を与える。そのために使用者はスチームサウナのような入浴感が与えられ発汗促進作用を受ける。
【００２７】
なお、このシャワー装置は不使用時にはノズルアーム２の片持張出し部２１を下げるとノズルアーム２全体がシャワー基台１の側面に寄り添う形になるので邪魔になることがないものである。
【００２８】
このように本シャワー装置ではシャワー浴とミスト浴を一台のシャワー装置で選択使用でき、ノズル制御盤５とノズルアーム操作盤６がシャワー基台１と別に設けられているのでシャワー浴やミスト浴中であっても、シャワーアームの位置調整や水温調節ができるものである。
【図面の簡単な説明】
【００２９】
【図１】本発明に係るシャワー装置の斜視図である。
【図２】ノズルアームとノズルアームを上下動自在にする機構を示す概要図である。
【図３】ノズル制御盤を示す正面図である。
【符号の説明】
【００３０】
１      シャワー基台
１１    椅子
１２    シャワー基台に取り付けられたシャワーノズル
２      ノズルアーム
２１    ノズルアームの片持ち張出し部
２２    モーター
２３    ウォームギア
２４    回転歯車
２５    ワイヤー
２６    ノズルアームの昇降棹
２７    ワイヤーとノズルアームの昇降棹の連結部
３      シャワーノズル
４      ミストノズル
５      ノズル制御盤
５１    ミスト強ボタン
５２    ミスト弱ボタン
５３    シャワー強ボタン
５４    シャワー弱ボタン
５５    温度上げボタン
５６    温度下げボタン
６      ノズルアーム操作盤
６１    ノズルアームの上下移動ボタン
６２    ノズルアームの回動ボタン
６３    ノズルアームの回動部
７      ノズル制御盤とシャワー基台を結ぶ通信線
８      ノズルアーム操作盤とシャワー基台を結ぶ操作線
Ａ      ノズルアームの片持ち支持部
Ｂ      ノズルアームの回動方向
Ｃ      ノズルアームの上下移動方向
【図１】
2007068588.tif 000003
【図２】
2007068588.tif 000004
【図３】
2007068588.tif 000005